【手続補正書】
【提出日】平成28年12月1日(2016.12.1)
【手続補正１】
【補正対象書類名】特許請求の範囲
【補正対象項目名】全文
【補正方法】変更
【補正の内容】
【特許請求の範囲】
【請求項１】
光出射窓を含み、キャビティを包囲するハウジングであって、前記ハウジングの少なくとも一部は、熱伝導性材料から作られる、ハウジングと、
前記キャビティ内に設けられ、第１の色の光を放射する発光体と、
前記第１の色の光を別の色の光へと変換する色変換装置と、
を含む照明ユニットであって、前記色変換装置は、
前記第１の色を含む第１のスペクトル分布の光の一部を吸収する及び前記吸収された光の少なくとも一部を第２のスペクトル分布の光へと変換する第１のルミネッセント材料を含む第１のルミネッセント層と、
前記第１のルミネッセント層を支持する支持層と、
前記色変換装置内の温度差を低減するように、熱を横方向に熱伝導する第１のグラフェン層と、
を含み、
ｉ）前記支持層は、固体発光体の層によって形成され、前記第１のルミネッセント層及び前記第１のグラフェン層のスタックは、前記固体発光体の層上に設けられ、前記固体発光体の層の発光面は、前記第１のルミネッセント層若しくは前記第１のグラフェン層の何れかと接触するか、
ｉｉ）前記支持層は、第１の面及び前記第１の面とは反対側の第２の面を含み、前記第１のグラフェン層は、前記支持層の前記第１の面に設けられ、前記第１のグラフェン層は、前記支持層に熱的に結合され、前記第１のルミネッセント層は、前記支持層の前記第２の面に設けられ、前記第１のルミネッセント層は、前記支持層に熱的に結合されるか、
ｉｉｉ）前記色変換装置は、第２のグラフェン層を含み、前記第１のルミネッセント層は、前記第１のグラフェン層と前記第２のグラフェン層との間に挟持され、前記グラフェン層及び前記第１のルミネッセント層のスタックは、前記支持層上に設けられるか、又は
ｉｖ）前記色変換装置は、前記第１の色を含む第３のスペクトル分布の光及び／若しくは前記第２のスペクトル分布の光の一部を吸収する及び吸収された光の少なくとも一部を第４のスペクトル分布の光へと変換する第２のルミネッセント材料を含む第２のルミネッセント層を含み、前記第１のグラフェン層は、前記第１のルミネッセント層と前記第２のルミネッセント層との間に挟持され、前記ルミネッセント層及び前記第１のグラフェン層のスタックは、前記支持層上に設けられ、
前記色変換装置は前記光出射窓に設けられ、前記第１のグラフェン層及び／又は前記第２のグラフェン層が前記熱伝導性材料の前記ハウジングの少なくとも一部に熱的に結合される、照明ユニット。
【請求項２】
前記色変換装置は、ヒートシンクに熱的に結合される熱伝達インタフェースを更に含み、前記第１のグラフェン層及び／又は前記第２のグラフェン層は、前記熱伝達インタフェースに熱的に結合される、請求項１に記載の照明ユニット。
【請求項３】
前記第１のルミネッセント材料及び／又は前記第２のルミネッセント材料は、無機蛍光体、有機蛍光体、並びに量子閉じ込めを示す及び少なくとも１つの寸法においてナノメートル領域のサイズを有する粒子の群から選択されたルミネッセント材料を少なくとも含む、請求項１に記載の照明ユニット。
【請求項４】
前記色変換装置は、前記支持層の反対側の表面上に設けられた別の第２のグラフェン層を含み、
前記色変換装置が前記第２のグラフェン層を含み、前記第１のルミネッセント層が前記第１のグラフェン層と前記第２のグラフェン層との間に挟持され、前記グラフェン層及び前記第１のルミネッセント層の前記スタックが前記支持層上に設けられる場合、又は
前記色変換装置が前記第２のルミネッセント材料を含む前記第２のルミネッセント層を含み、前記第１のグラフェン層が前記第１のルミネッセント層と前記第２のルミネッセント層との間に挟持され、前記ルミネッセント層及び前記第１のグラフェン層の前記スタックが前記支持層上に設けられる場合に、
前記反対側の表面は、前記スタックの１つが上に設けられる表面とは反対側の前記支持層の表面であり、
前記色変換装置は前記光出射窓に設けられ、前記第１のグラフェン層及び前記別の第２のグラフェン層が前記熱伝導性材料の前記ハウジングの少なくとも一部に熱的に結合される、請求項１に記載の照明ユニット。
【請求項５】
前記支持層が前記第１の面及び前記第１の面とは反対側の前記第２の面を含み、前記第１のグラフェン層が前記支持層の前記第１の面に設けられ、前記第１のグラフェン層が前記支持層に熱的に結合され、前記第１のルミネッセント層が前記支持層の前記第２の面に設けられ、前記第１のルミネッセント層が前記支持層に熱的に結合される場合、又は
前記色変換装置が前記第２のルミネッセント材料を含む前記第２のルミネッセント層を含み、前記第１のグラフェン層が前記第１のルミネッセント層と前記第２のルミネッセント層との間に挟持され、前記ルミネッセント層及び前記第１のグラフェン層の前記スタックが前記支持層上に設けられる場合に、
前記色変換装置は、それぞれ前記第１のルミネッセント層の表面上若しくは前記支持層から見て外方に向く前記第２のルミネッセント層の表面上に設けられる、更なる第２のグラフェン層を含み、
前記色変換装置は前記光出射窓に設けられ、前記第１のグラフェン層及び前記更なる第２のグラフェン層が前記熱伝導性材料の前記ハウジングの少なくとも一部に熱的に結合される、請求項１に記載の照明ユニット。
【請求項６】
前記熱伝達インタフェースは、前記熱伝導性材料の前記ハウジングの少なくとも一部に接触する、請求項２に記載の照明ユニット。
【請求項７】
前記ハウジングの表面に配置された追加のグラフェン層を更に含み、前記表面が前記キャビティに対向し、前記追加のグラフェン層が前記発光体及び／又は前記熱伝導性材料の前記ハウジングの少なくとも一部に熱的に結合される、請求項１乃至５のいずれか一項に記載の照明ユニット。
【請求項８】
ヒートシンクを更に含み、前記熱伝導性材料の前記ハウジングの少なくとも一部が前記ヒートシンクに熱的に結合される、請求項１乃至５のいずれか一項に記載の照明ユニット。
【請求項９】
第１の色の光を別の色の光へと変換する色変換装置であって、前記色変換装置は、
前記第１の色を含む第１のスペクトル分布の光の一部を吸収する及び前記吸収された光の少なくとも一部を第２のスペクトル分布の光へと変換する第１のルミネッセント材料を含む第１のルミネッセント層と、
前記第１のルミネッセント層を支持する支持層と、
前記色変換装置内の温度差を低減するように、熱を横方向に熱伝導する第１のグラフェン層と、
を含み、
ｉｉ）前記支持層は、第１の面及び前記第１の面とは反対側の第２の面を含み、前記第１のグラフェン層は、前記支持層の前記第１の面に設けられ、前記第１のグラフェン層は、前記支持層に熱的に結合され、前記第１のルミネッセント層は、前記支持層の前記第２の面に設けられ、前記第１のルミネッセント層は、前記支持層に熱的に結合されるか、又は
ｉｖ）前記色変換装置は、前記第１の色を含む第３のスペクトル分布の光及び／若しくは前記第２のスペクトル分布の光の一部を吸収する並びに吸収された光の少なくとも一部を第４のスペクトル分布の光へと変換する第２のルミネッセント材料を含む第２のルミネッセント層を含み、前記第１のグラフェン層は、前記第１のルミネッセント層と前記第２のルミネッセント層との間に挟持され、前記ルミネッセント層及び前記第１のグラフェン層のスタックは、前記支持層上に設けられる、色変換装置。
【請求項１０】
固体発光体の固体発光体ダイと、
請求項９に記載の色変換装置と、
を含む固体発光体パッケージであって、前記支持層は、前記固体発光体の層である又は前記固体発光体ダイが上に設けられる基板である、固体発光体パッケージ。
【請求項１１】
請求項９に記載の色変換装置、請求項１乃至８のいずれか一項に記載の照明ユニット、又は請求項１０に記載の固体発光体パッケージを含む、照明器具。